(57)【特許請求の範囲】
【請求項１】
開口孔の断面形状を階段状にして、段差部を設けたカウンターと、加熱調理機構とを有し、前記カウンターの開口孔に嵌入し、かつ前記段差部の下段に載置する載置部を有する機器本体と、前記機器本体の上方に位置して前記カウンターの上面に載置し、前記機器本体を遮蔽する機器天板と、前記機器天板の上方に載置し調理容器を支承する五徳とを備えた組込み型調理器。
【請求項２】
機器天板の外周端面を裏面方向に折曲して周設した垂下部の外形寸法を、カウンターの開口孔の段差部の上段の内側寸法より小とした請求項１記載の組込み型調理器。
【請求項３】
機器天板の垂下部の外側に弾性体からなるシール材を張設し、カウンターの段差部の上段に嵌入する請求項１記載の組込み型調理器。
【請求項４】
機器天板の側部に着脱自在の保護板を設ける請求項１記載の組込み型調理器。
【請求項５】
機器天板の上面と保護板の上面を同一面にした請求項４記載の組込み型調理器。
【発明の詳細な説明】
【０００１】
【発明の属する技術分野】
本発明は、カウンターに開口孔を設け、その開口孔に加熱調理機構を有する機器本体を収納・設置するいわゆる組込み型調理器に関する。
【０００２】
【従来の技術】
従来の組込み型調理器の例について図３に示す。図３において１は略四角の開口孔１ａを有するカウンターである。２はバーナ３等の加熱調理機構を有する機器本体で、カウンター１の開口孔１ａに嵌入され、載置部２ａをカウンター１の上面１ｂに載置してあり、載置部２ａの一部には立設した突片２ｂが設けてある。
【０００３】
４は機器天板で、機器本体２の天面を形成し、カウンター１の開口孔１ａを覆うように設置されている。５は機器天板４の裏面４ａに固定された金具で、載置部２ａに立設した突片２ｂを嵌入するスリット孔５ａを有する。６は機器天板４に支承される五徳であり、その上端部６ａには調理容器７が載置される。
【０００４】
８は弾性体からなるシール材で機器天板４の周縁部４ｂを挟持し、カウンター１の上面１ｂに支承されて構成されている。
【０００５】
そして、機器本体２の載置部２ａ及びシール材８を介した機器天板４は、カウンター１上面１ｂに載置され、機器天板４の位置規制は、裏面４ａに固定された金具５のスリット孔５ａと、機器本体２の載置部２ａの一部に立設した突片ｂの嵌合によって行っており、従ってカウンター１の上面１ｂと機器天板４の上面４ｃとの高さ寸法Ｂが大きくなり、カウンター１の上面１ｂと機器天板４の上面４ｃとに跨って調理用器７や調理準備物を置くことが出来ず、調理スペースが分断されていた。しかもカウンター１の上面１ｂと五徳６の上端部６ａまでの高さ寸法Ａも大きくなって、調理用器７を五徳６の上端部６ａまで持ち上げる際や下ろす際に不便さを与えていた。
【０００６】
なお、機器天板４の上面４ｃと五徳６の上端部６ａまでの高さ寸法Ｃは、バーナ３の燃焼に伴う空気の供給及び燃焼排気ガスの排出に必要な寸法であり、機器天板４の裏面４ａには金具５を固定する必要があって、コスト面で不利益であるばかりでなく、機器天板４を取り外した状態で機器本体２のメンテナンス等を行う場合に、載置部２ａの一部に立設した突片２ｂが作業の邪魔になることがあった。
【０００７】
また、シール材８は機器天板４の周縁部４ｂに装着されており、加熱調理時の煮こぼれ汁等がこぼれて付着すると外観上見苦しいという不具合を有していた。
【０００８】
さらに、カウンター１の上面１ｂが人造大理石等の耐熱温度が低くて傷が付きやすい材質の場合には、加熱調理後等、調理容器７等を置くと、カウンター１の上面１ｂにクラックを生じたり、傷がつくという不具合を有していた。
【０００９】
【発明が解決しようとする課題】
一般に、加熱調理器は、日常使用される頻度が高く、調理スペースが有効に利用でき調理容器の上げ下ろしが楽にできる使い勝手のよいものや、掃除性のよいものが要求されているが、前記する従来例では調理スペースの利用率、使い勝手や掃除性において満足できるものではなかった。
【００１０】
本発明は、このような従来例の組込み型調理器において、使い勝手や掃除性を高めることを課題とする。
【００１１】
【課題を解決するための手段】
本発明の組込み型調理器においては、カウンターの開口孔に断面形状を階段状にして段差部を設け、この段差部の下段に機器本体を載置し、その上方に位置して前記カウンターの上面に載置し、前記機器本体を遮蔽する機器天板と、前記機器天板の上方に五徳を載置する構成としたものであり、この発明によれば、調理スペースの有効活用や調理用器等の上げ下ろし時の使い勝手及び機器天板周辺の掃除性を高めることができる。
【００１２】
【発明の実施の形態】
本発明は、請求項１に記載の発明は、開口孔の断面形状を階段状にして、段差部を設けたカウンターと、加熱調理機構とを有し、前記カウンターの開口孔に嵌入し、かつ前記段差部の下段に載置する載置部を有する機器本体と、前記機器本体の上方に位置して前記カウンターの上面に載置し、前記機器本体を遮蔽する機器天板と、前記機器天板の上方に載置し調理容器を支承する五徳とを備えたものであり、カウンターの上面と機器天板の段差を小さくし、かつカウンターの上面と調理容器を支承する五徳の上端部までの高さを小さくするという作用を有する。
【００１３】
また、請求項２に記載の発明は、機器天板の外周端面を裏面方向に折曲して周設した垂下部の外形寸法を、カウンターの開口孔の段差部の上段の内側寸法より小としたものであり、機器天板の位置規制を容易に行えるという作用を有する。
【００１４】
また、請求項３に記載の発明は、機器天板の垂下部の外側に弾性体からなるシール材を張設し、カウンターの段差部の上段に嵌入したものであり、機器天板のそりとカウンター上面のそりによる隙間発生時においても、機器天板とカウンターのシールを確実にするとともに、シール材を機器天板の外周部に露出させず、加熱調理器の煮こぼれ汁等がシール材に付着し外観上見苦しくなることを防止するという作用を有する。
【００１５】
また、請求項４に記載の発明は、機器天板の側部に着脱自在の保護板を設けるものであり、加熱された調理用器や調理準備物を直接カウンター表面に置くことなく、カウンター表面を熱や傷から保護する作用を有する。
【００１６】
また、請求項５に記載の発明は、機器天板の上面と保護板の上面を同一面に設けるものであり、機器天板と機器天板の側面部のスペースを同時に有効に利用できるという作用を有する。
【００１７】
以下、本発明の一実施例について、図１及び図２を用いて説明する。なお、図３に示す従来例と同じ構成部分については同一符号を付し、詳細な説明は省略する。
【００１８】
図１は本発明の一実施例による組込み型調理器を示す断面図であり、図２は、同要部の斜視図である。図１及び図２において、９はカウンターで、略四角の開口孔９ａの断面形状が階段状で、複数の段差部である下段９ｂと上段９ｃとを有する。１０は機器本体でバーナ１１等の加熱調理機構を有し、前記カウンター９の開口孔９ａに嵌入し、段差部の下段９ｂに載置する載置部１０ａを有する。
【００１９】
１２は機器天板で、前記機器本体１０の上方に位置して前記カウンター９の上面９ｂに載置し、前記機器本体１０を遮蔽する。前記機器天板１２の外周端面は裏面方向に折曲し、垂下部１２ａを周設している。
【００２０】
１３は前記機器天板１２の上方に載置し、調理容器１４を支承する五徳で、１５は弾性体から成り、前記折曲部１２ａの外側に張設するシール材である。
【００２１】
機器天板１２はカウンター９の上面９ｄに支承し、機器本体１０はカウンター９の段差部の下段９ｂに載置することにより、バーナ１１の燃焼に伴う空気の提供及び燃焼排気ガスの排出に必要な高さ寸法Ｄを確保しつつ、カウンター９の上面９ｄと機器天板１２の上面１２ｂとの高さ寸法Ｅを小さく設けることにより、カウンター９の上面９ｄと機器天板１２の段差を小さくし、かつカウンターの上面９ｄと調理容器１４を支承する五徳１３の上端部１３ａまでの高さ寸法Ｆを小さくするという作用を有する。
【００２２】
また、機器天板１２の外周端面を裏面方向に折曲して周設した垂下部１２ａの外形寸法Ｇを、カウンター９の開口孔９ａの段差部の内側寸法Ｈより小とすることにより、機器天板１２はその垂下部１２ａをカウンター９の段差部に観入するだけで、位置規制を容易に行えるという作用を有する。
【００２３】
また、機器天板１２の垂下部の外側に弾性体からなるシール材１５を張設し、カウンター９の段差部の上段９ｃに嵌入することにより、機器天板１２のそりとカウンター上面９ｄのそりによる隙間発生時においても、機器天板１２とカウンター９のシールを確実にするとともに、シール材１５を機器天板１２の外周部に露出させず、加熱調理時の煮こぼれ汁等がシール材に付着し外観上見苦しくなることを防止するという作用を有する。
【００２４】
次に、機器天板１２の側面に着脱自在の保護板１６を設けることにより、加熱された調理容器１４や調理準備物を直接カウンター上面９ｄに置くことなく、カウンター９の上面９ｄを熱や傷から保護する作用を有する。
【００２５】
さらに、機器天板１２の上面１２ｂと保護板１６の上面１６ａを同一面に設けることにより、機器天板１２と機器天板１２の側面部の段差を無くしスペースを同時に有効に利用できるという作用を有する。
【００２６】
【発明の効果】
以上のように本発明の請求項１によれば、機器天板をカウンターの上面に支承し、機器本体はカウンターの段差部の下段に載置することにより、カウンターの上面と機器天板の段差を小さくして略同一面とすることにより、調理容器や調理準備物を機器天板とカウンター上面に跨って実使用上問題無く置くことができ、調理スペースを機器天板で分断することなく有効に活用できる。
【００２７】
また、カウンターの上面と調理容器等を支承する五徳の上端部までの高さ寸法を小さくして、調理容器等を五徳の上端部まで持ち上げる際や下ろす際の移動距離を少なく楽に移動でき、使い勝手が向上する効果が得られる。さらに、カウンター上面との平坦感を得ることが出来、デザイン性を浴するという効果が得られる。
【００２８】
また、請求項２では機器天板の垂下部の外形寸法を、カウンターの開口孔の段差部の内側寸法より小とすることにより、機器天板はその垂下部をカウンターの段差部に嵌入するだけで、位置規制を容易に確実に行え、コスト的にも有利な効果が得られる。
【００２９】
また、請求項３では機器天板の垂下部の外側に弾性体からなるシール材を張設し、カウンターの段差部の上段に嵌入することにより、機器天板のそりとカウンター上面のそりによる隙間が発生しても機器天板とカウンターのシールを確実にするとともに、シール材を機器天板の外周部に露出させず、加熱調理時の煮こぼれ汁等がシール材に付着し外観上見苦しくなくなることを防止し、掃除性がよくなる効果が得られる。
【００３０】
次に、請求項４では機器天板の側面に着脱自在の保護板を設けることにより、加熱された調理容器や調理準備物を直接カウンター上面に置くことなく、カウンターの上面を熱や傷から保護する効果が得られる。
【００３１】
さらに、請求項５では機器天板の側面部の段差を無くしスペースを同時に有効に利用できるという効果が得られる。
【図面の簡単な説明】
【図１】本発明の一実施例による組込み型調理器の要部断面図
【図２】同外観斜視図
【図３】従来例の組込み型調理器の要部断面図
【符号の説明】
９  カウンター
９ａ  開口孔
９ｂ  下段
９ｃ  上段
９ｄ  上面
１０  機器本体
１０ａ  載置部
１２  機器天板
１２ａ  垂下部
１３  五徳
１３ａ  上端部
１５  シール材
１６  保護板
【図１】
0003767013.tif 000002
【図２】
0003767013.tif 000003
【図３】
0003767013.tif 000004